(57)【要約】      （修正有）【課題】ページに含まれたコンテンツの検索をより迅速かつ容易にできる方法とそれをサポートする端末機を提供する。【解決手段】表示部に出力されるページに含まれたコンテンツを分類するステップ、上記コンテンツの分類に基づいてコンテンツの間の区分が可能な一定索引を割り当てる割当ステップ、上記割り当てられた索引を上記ページに対応するスクロールバー領域に配置する配置ステップ、上記索引が配置されたスクロールバー領域を含んだ複合スクロールバーを出力する出力ステップを含む。【選択図】図２
2014149834.tif 000002
【特許請求の範囲】
【請求項１】
サーバページ出力時、前記サーバページに含まれたコンテンツを分析するステップと、
前記分析されたコンテンツのうち、テキストコンテンツを除外したコンテンツの種類と位置情報を収集するステップと、
同一種類のコンテンツに予め定義された一定索引を割り当てるステップと、
前記サーバページ全体サイズに対応するスクロールバー領域に前記位置情報に基づいて各索引を前記サーバページでのコンテンツ位置に対応するように配置して複合スクロールバーを構成するステップと、
前記複合スクロールバーを出力するステップと、
を含むことを特徴とする、ページ検索方法。
【請求項２】
前記コンテンツの種類によって形態と色、記入情報のうち、少なくとも１つが異なるように構成された索引を出力するステップと、
前記コンテンツに該当するサムネイルイメージを索引に出力するステップのうち、何れか１つを含むことを特徴とする、請求項１に記載のページ検索方法。
【請求項３】
一定間隔以内に配置された索引を１つの索引に統合して統合索引として提供するステップと、
前記統合索引選択時、各索引に該当するサムネイルイメージが羅列された付加スクロール領域を提供するステップと、
前記付加スクロール領域に含まれたサムネイルイメージ選択時、該当サムネイルイメージに該当するコンテンツが配置されたページ領域を出力するステップのうち、少なくとも１つのステップをさらに含むことを特徴とする、請求項１に記載のページ検索方法。
【請求項４】
表示部に出力されるページに含まれたコンテンツ分類するステップと、
前記コンテンツの分類に基づいてコンテンツの間の区分が可能な一定索引を割り当てる割当ステップと、
前記割り当てられた索引を前記ページに対応するスクロールバー領域に配置する配置ステップと、
前記索引が配置されたスクロールバー領域を含んだ複合スクロールバーを出力する出力ステップと、
を含むことを特徴とする、ページ検索方法。
【請求項５】
前記ページ出力要請を受信する受信ステップをさらに含み、
前記受信ステップは、
特定サーバページ接続に従うサーバページ出力要請を受信するステップと、
特定文書ファイル活性化に従う文書ページ出力要請を受信するステップのうち、何れか１つを含むことを特徴とする、請求項４に記載のページ検索方法。
【請求項６】
前記割当ステップは、
コンテンツの種類別区分が可能な形態及び色相を有する索引を各コンテンツ種類別に割り当てるステップと、
各コンテンツのサムネイルイメージを索引として割り当てるステップと、
各コンテンツ種類区分が可能であるように文字や数字が記入されたイメージを索引として割り当てるステップのうち、少なくとも１つを含むことを特徴とする、請求項４に記載のページ検索方法。
【請求項７】
前記割当ステップは、
前記ページに含まれた特定コンテンツ種類を除外した残りのコンテンツに対して種類別索引を割り当てることを特徴とする、請求項４に記載のページ検索方法。
【請求項８】
前記配置ステップは、
前記コンテンツに該当する前記索引を前記ページに対応するスクロールバー領域に配置し、且つ前記コンテンツのページ内での位置に対応するスクロールバー領域の特定位置に前記索引を配置することを特徴とする、請求項４に記載のページ検索方法。
【請求項９】
前記スクロールバー領域に配置された索引が予め定義された一定間隔以内に配置される場合、一定間隔以内に配置された索引を統合して統合索引として割り当てるステップをさらに含むことを特徴とする、請求項８に記載のページ検索方法。
【請求項１０】
前記統合索引を含む複合スクロールバーを出力するステップをさらに含み、前記統合索引選択時、統合索引に含まれた索引が一定間隔離隔配置された付加スクロール領域を出力するステップをさらに含むことを特徴とする、請求項９に記載のページ検索方法。
【請求項１１】
前記付加スクロール領域を出力するステップは、
前記付加スクロール領域に含まれた索引を該当コンテンツに対応するサムネイルイメージに取り替えて出力することを特徴とする、請求項１０に記載のページ検索方法。
【請求項１２】
前記付加スクロール領域の拡張又は縮小のためのイベントを受信するステップと、
前記イベント受信によって前記付加スクロール領域のサイズを拡張又は縮小するステップと、
をさらに含むことを特徴とする、請求項１０に記載のページ検索方法。
【請求項１３】
前記付加スクロール領域の変更時、前記変更された付加スクロール領域のサイズによって他の形態の索引に出力するステップをさらに含むことを特徴とする、請求項１２に記載のページ検索方法。
【請求項１４】
前記付加スクロール領域を出力するステップは、
前記付加スクロール領域に含まれた索引の羅列方向を前記複合スクロールバーと並んでいる方向に出力するステップと、
前記付加スクロール領域に含まれた索引の羅列方向を前記複合スクロールバーの配置方向と異なる角度の方向に出力するステップと、
前記付加スクロール領域を前記複合スクロールバー領域の全体を覆うように配置するステップのうち、何れか１つを含むことを特徴とする、請求項１０に記載のページ検索方法。
【請求項１５】
前記統合索引に含まれた索引の個数情報を出力するステップをさらに含むことを特徴とする、請求項９に記載のページ検索方法。
【請求項１６】
横モード又は縦モードの変更時、前記スクロールバー領域の表示長さを変更するステップと、
前記変更された長さに対応して索引の位置を調整するステップと、
をさらに含むことを特徴とする、請求項８に記載のページ検索方法。
【請求項１７】
前記位置調整によって前記スクロールバー領域に配置された索引の間隔が予め定義された一定間隔以内に変更される場合、一定間隔以内に配置された索引を統合して統合索引として割り当てるステップと、
前記位置調整によって前記スクロールバー領域に配置された索引の間隔が予め定義された一定間隔以上に変更される場合、統合索引として割り当てられた索引を分割して各々配置するステップのうち、何れか１つのステップをさらに含むことを特徴とする、請求項１６に記載のページ検索方法。
【請求項１８】
前記複合スクロールバーで複数個の索引が一回のタッチにより選択される場合、選択された複数個の索引が一定間隔離隔するように配置された付加スクロール領域を出力するステップをさらに含むことを特徴とする、請求項４に記載のページ検索方法。
【請求項１９】
前記付加スクロール領域の出力時、前記複数個の索引を該当コンテンツのサムネイルイメージに変更するステップをさらに含むことを特徴とする、請求項１８に記載のページ検索方法。
【請求項２０】
前記付加スクロール領域に出力された索引選択時、該当索引に対応するコンテンツが配置されたページ領域を表示部に出力するステップをさらに含むことを特徴とする、請求項１８に記載のページ検索方法。
【請求項２１】
特定ページ領域閲覧のうち、前記複合スクロールバーで特定地点を選択するステップと、
前記特定地点に該当するページ領域を表示部に出力する一方、前記特定地点選択の以前、前記特定ページ領域に対応する複合スクロールバー領域に以前地点標識を出力するステップと、
をさらに含むことを特徴とする、請求項４に記載のページ検索方法。
【請求項２２】
前記以前地点標識選択時、前記特定ページ領域に復帰するステップをさらに含むことを特徴とする、請求項２１に記載のページ検索方法。
【請求項２３】
新たな地点選択の都度、以前に選択された地点の選択順序を番号付けするステップをさらに含むことを特徴とする、請求項２２に記載のページ検索方法。
【請求項２４】
一定時間経過時又は最初選択地点復帰時、前記以前地点標識を表示部から除去するステップをさらに含むことを特徴とする、請求項２３に記載のページ検索方法。
【請求項２５】
特定ページ領域閲覧のうち、前記複合スクロールバーから特定地点を選択するステップと、
前記特定地点に該当するページ領域を表示部に出力するステップと、
前記特定地点選択が解除される場合、前記特定地点選択の以前、前記特定ページ領域に復帰するステップと、
をさらに含むことを特徴とする、請求項４に記載のページ検索方法。
【請求項２６】
前記出力ステップは、
複数個の分割領域を含むページ出力時、
複数個の分割領域の各々に対する前記複合スクロールバーを各分割領域に出力するステップと、
複数個の分割領域のうち、選択された特定分割領域に該当する前記複合スクロールバーを出力するステップと、
複数個の分割領域のうち、任意の特定分割領域のための前記複合スクロールバーを出力し、以後、特定分割領域選択のための入力信号発生によって指定された分割領域の複合スクロールバーを出力するステップのうち、何れか１つのステップを含むことを特徴とする、請求項４に記載のページ検索方法。
【請求項２７】
前記割当ステップは、
ページに含まれたコンテンツのサムネイルイメージを受信するステップと、
前記サムネイルイメージを分類するステップと、
前記分類されたサムネイルイメージに索引を割り当てるステップと、
を含むことを特徴とする、請求項４に記載のページ検索方法。
【請求項２８】
前記サムネイルイメージのうち、予め定義された特定コンテンツ種類のサムネイルイメージを索引割当から除外させるステップをさらに含むことを特徴とする、請求項２７に記載のページ検索方法。
【請求項２９】
前記複合スクロールバーを出力するステップは、
前記ページ出力時、前記複合スクロールバーを同時出力するステップと、
前記ページ出力後、複合スクロールバー出力が要請されるイベント発生時、前記複合スクロールバーを出力するステップと、
前記ページ出力後、複合スクロールバーが提供されるページ領域が選択される場合、該当ページ領域に前記複合スクロールバーを出力するステップのうち、何れか１つを含むことを特徴とする、請求項４に記載のページ検索方法。
【請求項３０】
一定コンテンツを含むページ及び前記ページに含まれたコンテンツの種類別索引が含まれた複合スクロールバーを出力する表示部と、
前記表示部に出力されるページに含まれたコンテンツを分類し、前記コンテンツの分類に基づいてコンテンツの間の区分が可能な一定索引を割り当てて、前記割り当てられた索引を前記ページに対応するスクロールバー領域に配置した複合スクロールバーを前記表示部に出力するようにサポートする制御部と、
を含むことを特徴とする、ページ検索をサポートする端末機。
【請求項３１】
特定サーバページ接続に従うサーバページ出力要請を受信する通信部と、
文書ページファイルを格納する格納部のうち、少なくとも１つをさらに含むことを特徴とする、請求項３０に記載のページ検索をサポートする端末機。
【請求項３２】
前記制御部は、
コンテンツの種類別区分が可能な形態及び色相を有する索引を各コンテンツ種類別に割り当てたり、各コンテンツのサムネイルイメージを索引として割り当てたり、各コンテンツ種類区分が可能であるように文字や数字が記入されたイメージを索引として割り当てたりすることを特徴とする、請求項３０に記載のページ検索をサポートする端末機。
【請求項３３】
前記制御部は、
前記ページに含まれた特定コンテンツ種類を除外した残りのコンテンツに対して種類別索引を割り当てることを特徴とする、請求項３０に記載のページ検索をサポートする端末機。
【請求項３４】
前記制御部は、
前記索引がスクロールバー領域の上で予め定義された一定間隔以内に配置される場合、一定間隔以内に配置された索引を統合して統合索引として割り当てることを特徴とする、請求項３０に記載のページ検索をサポートする端末機。
【請求項３５】
前記表示部は、
前記統合索引選択時、統合索引に含まれた索引が一定間隔離隔配置された付加スクロール領域を出力することを特徴とする、請求項３４に記載のページ検索をサポートする端末機。
【請求項３６】
前記付加スクロール領域は、
前記索引に該当するコンテンツのサムネイルイメージが配置されることを特徴とする、請求項３５に記載のページ検索をサポートする端末機。
【請求項３７】
前記制御部は、
前記付加スクロール領域の拡張又は縮小のためのイベント受信時、前記付加スクロール領域のサイズを拡張又は縮小し、前記付加スクロール領域の変更時、前記変更された付加スクロール領域のサイズによって他の形態の索引を出力するように制御することを特徴とする、請求項３５に記載のページ検索をサポートする端末機。
【請求項３８】
前記付加スクロール領域は、
前記付加スクロール領域に含まれた索引の羅列方向が前記複合スクロールバーと並んでいる方向、前記複合スクロールバーの配置方向と異なる角度の方向、前記複合スクロールバー領域の一部とオーバーレイされる位置のうち、何れか１つの形態に表示されることを特徴とする、請求項３５に記載のページ検索をサポートする端末機。
【請求項３９】
前記表示部は、
前記統合索引に含まれた索引の個数情報を出力することを特徴とする、請求項３４に記載のページ検索をサポートする端末機。
【請求項４０】
前記表示部は、
横モード又は縦モードの変更時、前記スクロールバー領域の表示長さを変更して表示し、前記変更された長さに対応して索引の位置を調整して出力することを特徴とする、請求項３０に記載のページ検索をサポートする端末機。
【請求項４１】
前記制御部は、
前記位置調整によって前記スクロールバー領域に配置された索引の間隔が予め定義された一定間隔以内に変更される場合、一定間隔以内に配置された索引を統合して統合索引として割り当てて、
前記位置調整によって前記スクロールバー領域に配置された索引の間隔が予め定義された一定間隔以上に変更される場合、統合索引として割り当てられた索引を分割して各々配置することを特徴とする、請求項４０に記載のページ検索をサポートする端末機。
【請求項４２】
前記表示部は、
前記複合スクロールバーで複数個の索引が一回のタッチにより選択される場合、選択された複数個の索引が一定間隔離隔するように配置された付加スクロール領域を出力することを特徴とする、請求項３０に記載のページ検索をサポートする端末機。
【請求項４３】
前記制御部は、
前記付加スクロール領域の出力時、前記複数個の索引を該当コンテンツのサムネイルイメージに変更して出力するように制御することを特徴とする、請求項４２に記載のページ検索をサポートする端末機。
【請求項４４】
前記表示部は、
前記付加スクロール領域に出力された索引選択時、該当索引に対応するコンテンツが配置されたページ領域を出力することを特徴とする、請求項４２に記載のページ検索をサポートする端末機。
【請求項４５】
前記表示部は、
特定ページ領域閲覧のうち、前記複合スクロールバーから特定地点を選択する場合、前記特定地点に該当するページ領域を表示部に出力する一方、前記特定地点選択の以前、前記特定ページ領域に対応する複合スクロールバー領域に以前地点標識を出力することを特徴とする、請求項３０に記載のページ検索をサポートする端末機。
【請求項４６】
前記表示部は、
前記以前地点標識の選択時、該当標識に対応する特定ページ領域を出力することを特徴とする、請求項４５に記載のページ検索をサポートする端末機。
【請求項４７】
前記表示部は、
特定ページ領域閲覧のうち、前記複合スクロールバーから特定地点を選択する場合、前記特定地点に該当するページ領域を出力し、前記特定地点選択が解除される場合、前記特定地点選択の以前、前記特定ページ領域を表示することを特徴とする、請求項３０に記載のページ検索をサポートする端末機。
【請求項４８】
前記表示部は、
複数個の分割領域を含むページ出力時、
複数個の分割領域の各々に対する複合スクロールバーを各分割領域に出力したり、複数個の分割領域のうち、選択された特定分割領域に該当複合スクロールバーを出力したり、複数個の分割領域のうち、任意の特定分割領域のための前記複合スクロールバーを出力し、以後、特定分割領域選択のための入力信号発生によって指定された分割領域の複合スクロールバーを出力することを特徴とする、請求項３０に記載のページ検索をサポートする端末機。
【請求項４９】
ページに含まれたコンテンツのサムネイルイメージを受信する通信部をさらに含み、
前記制御部は、
前記サムネイルイメージを分類し、前記分類されたサムネイルイメージに索引を割り当てることを特徴とする、請求項３０に記載のページ検索をサポートする端末機。
【請求項５０】
前記制御部は、
前記サムネイルイメージのうち、予め定義された特定コンテンツ種類のサムネイルイメージを索引割当から除外させることを特徴とする、請求項４９に記載のページ検索をサポートする端末機。
【請求項５１】
前記制御部は、
前記ページ出力時、前記複合スクロールバーを同時出力するように制御したり、前記ページ出力後、前記複合スクロールバーの出力が要請される場合、出力するように制御したり、前記ページ出力後、複合スクロールバーが提供される領域が選択される場合、前記複合スクロールバーを出力するように制御することを特徴とする、請求項３０に記載のページ検索をサポートする端末機。
【発明の詳細な説明】
【技術分野】
【０００１】
本発明はページ運用に関し、特にページ検索をより容易に運用できるようにページのコンテンツ位置別索引を統合的に提供し、これに基づいてページ検索可能にサポートするページ検索方法及びこれをサポートする端末機に関する。
【背景技術】
【０００２】
携帯端末機は通信機能を有し、そのサイズが携帯可能な程度に十分に小さく、多くの人々が利用している。携帯端末機は、最近になってタッチスクリーンサイズが拡大するにつれて、多様なコンテンツを提供できるハードウェア及びソフトウェアのサポートに助けられて劇的な成長を謳歌する趨勢にある。
【０００３】
一方、携帯端末機の表示部サイズが大きくなるにつれて、より多様な情報を受信し出力する機能が脚光を浴びている。例えば、従来のデスクトップコンピュータベースの場合に提供されていたサーバページ検索機能が、今は携帯端末機でも受信し検索できるようにサポートされている。この際、提供されるサーバページは表示部のサイズより大きい形態に製作されて提供され、これによって携帯端末機ユーザはスクロール機能などを用いて現在表示部に表示されない隠された領域に対する検索を遂行する。この際、表示部サイズが限定的な携帯端末機は一定サイズ以上のサーバページ検索のために相当量のスクロール動作が要求される。このような問題は、ユーザが多数のサーバページを検索しなければならない状況では多大の不便をもたらす。
【０００４】
また、隠された領域の検索のために従来の端末機は単純にスクロール動作によるページ移動のみをサポートし、ユーザが検索しようとする適切なコンテンツの位置検索のためには反復的且つ無條件的なスクロール動作を要求するので、ユーザ親和的なインターフェーシングが提供されていない。そして、速いスクロール動作を遂行する場合、速いスクロール速度によって予め確認できなかったコンテンツスキップが発生する。この場合、スキップされたコンテンツを検索するのためには、ユーザは装置運用を反復するという不便を忍ばなければならない。
【発明の概要】
【発明が解決しようとする課題】
【０００５】
本発明の目的は、前述したような従来技術の問題点を解決するためのものであって、ページに含まれたコンテンツを分析し、種類別索引を提供することによって、ページ検索をより容易にできるようにサポートするページ検索方法及びこれをサポートする端末機を提供することにある。
【課題を解決するための手段】
【０００６】
上記の目的を達成するための本発明は、一定コンテンツを含むページ及び上記ページに含まれたコンテンツの種類別索引が含まれた複合スクロールバーを出力する表示部、上記表示部に出力されるページに含まれたコンテンツを分類し、上記コンテンツの分類に基づいてコンテンツの間の区分が可能な一定索引を割り当てて、上記割り当てられた索引を上記ページに対応するスクロールバー領域に配置した複合スクロールバーを上記表示部に出力するようにサポートする制御部を含むことを特徴とする、ページ検索をサポートする端末機の構成を開示する。
【０００７】
また、本発明は、サーバページ出力時、上記サーバページに含まれたコンテンツを分析するステップ、上記分析されたコンテンツのうち、テキストコンテンツを除外したコンテンツの種類と位置情報を収集するステップ、同一種類のコンテンツに予め定義された一定索引を割り当てるステップ、上記サーバページの全体サイズに対応するスクロールバー領域に上記位置情報に基づいて各索引を上記サーバページでのコンテンツ位置に対応するように配置して複合スクロールバーを構成するステップ、上記複合スクロールバーを出力するステップを含むことを特徴とする、ページ検索方法の構成を開示する。
【０００８】
また、本発明は、表示部に出力されるページに含まれたコンテンツ分類するステップ、上記コンテンツの分類に基づいてコンテンツの間の区分が可能な一定索引を割り当てる割当ステップ、上記割り当てられた索引を上記ページに対応するスクロールバー領域に配置する配置ステップ、上記索引が配置されたスクロールバー領域を含んだ複合スクロールバーを出力する出力ステップを含むことを特徴とする、ページ検索方法の構成を開示する。
【発明の効果】
【０００９】
以上、説明したように、本発明のページ検索方法及びこれをサポートする端末機によれば、本発明はページに含まれたコンテンツ検索をより迅速且つ容易にできるようにサポートする。
【００１０】
例えば、本発明によればユーザはページに含まれたコンテンツの分布をより直観的に確認できる。また、本発明のページ検索方法及びこれをサポートする端末機は、ページの特定コンテンツへの移動をより正確且つ迅速に遂行できるようにサポートする。
【００１１】
また、本発明のページ検索方法及びこれをサポートする端末機は、ページの特定コンテンツ参照及び原位置移動をより円滑にできるようにサポートする。
【図面の簡単な説明】
【００１２】
【図１】本発明の実施形態に従う改善されたページ検索機能をサポートする端末機の構成を概略的に示す図である。
【図２】図１の制御部構成をより詳細に示す図である。
【図３】本発明の実施形態に従う改善されたページ検索方法を説明するための図である。
【図４】本発明の実施形態に従う複合スクロールバー基盤のページ検索の一例を説明するための図である。
【図５】本発明の実施形態に従う複合スクロールバー基盤のページ検索の他の例を説明するための図である。
【図６】本発明の複合スクロールバーが適用されたページ画面を説明するための図である。
【図７】本発明の複合スクロールバーの多様な形態を説明するための図である。
【図８】本発明の複合スクロールバーにおける付加スクロール領域に対する説明のための図である。
【図９】本発明の複合スクロールバー運用のうち、以前の地点表示運用を説明するための図である。
【図１０】本発明の複合スクロールバー運用のうち、ページ移動機能と参照機能を説明するための図である。
【図１１】本発明の複合スクロールバー運用が適用される文書ページの例を説明するための図である。
【図１２】本発明の複合スクロールバーが適用されるサーバページの構成を説明するための図である。
【図１３】本発明のページ検索機能のうち、多重複合スクロールバー適用の例を説明するための図である。
【図１４】本発明の複合スクロールバー具現の一例を説明するための図である。
【発明を実施するための形態】
【００１３】
以下、本発明の実施形態を添付した図面に基づいて詳細に説明する。
【００１４】
実施形態を説明するに当たって、本発明が属する技術分野によく知られており、本発明と直接的に関連のない技術内容に対しては説明を省略する。また、実質的に同一な構成と機能を有する構成要素に対しては詳細な説明を省略する。
【００１５】
同様の理由により添付図面において一部の構成要素は誇張、省略、又は概略的に図示され、各構成要素のサイズは実際サイズを全的に反映するものでない。従って、本発明は添付した図面に図示した相対的なサイズや間隔により制限されるものではない。
【００１６】
図１は、本発明の実施形態に従う改善されたページ検索機能をサポートする端末機１００の構成を概略的に示す図である。
【００１７】
図１を参照すると、本発明の端末機１００は、通信部１１０、入力部１２０、オーディオ処理部１３０、表示部１４０、格納部１５０、及び制御部１６０を含んで構成を含むことができる。
【００１８】
このような構成部材を含む端末機１００は、特定サーバページ又は特定文書ページなど、表示部１４０のサイズより出力される領域が大きい領域のページが表示部１４０に出力される環境で、該当ページに含まれたコンテンツの種類と、各コンテンツのページ内での位置を分析し、分析された情報に基づいて或る一定の複合スクロールバーを生成して出力するようにサポートする。この際、提供される複合スクロールバーはページの全体サイズに対応する割合で表示部１４０に出力され、複合スクロールバー内に出力される索引は各コンテンツに対応する識別値と位置値を有する。即ち、特定索引が複合スクロールバーに配置される位置は、該当索引に対応するコンテンツが全体ページで配置された位置に相応する位置になる。これによって、ユーザは複合スクロールバーに出力された特定索引を選択する場合、端末機１００は該当索引に対応するコンテンツが配置されたページ領域が表示部１４０に出力されるようにサポートできる。さらに、端末機１００は複数の索引の配置、索引の統合、統合索引の選択運用、統合索引のための統合サムネイル運用、複合スクロールバーの拡張及び縮小機能、索引選択の以前の位置への復帰など、ページ検索と関連した多様な運用をサポートする。
【００１９】
通信部１１０は、本発明の端末機１００の通信機能をサポートするように構成される。このような通信部１１０は、本発明の改善されたページ検索機能が適用される特定サーバページ受信をサポートする。このために、通信部１１０はサーバページを提供する特定サーバ装置との通信チャンネル形成をサポートする。ここで、サーバページはサーバ装置が構築して提供するページであって、ウェブページ、クラウドサーバサポートページ、電子文書ページなど、多様なページを含み、特定タイプ、例えばｈｔｍｌタイプのページで構成できる。また、通信部１１０はサーバページを提供するサーバ装置からサーバページに含まれたサムネイルイメージを受信できる。この際、通信部１１０によりサムネイルイメージを受信するステップは、サーバページの全体内容を受ける以前である。これによって、端末機１００は特定サーバページ受信の要請を受ける場合、該当サーバ装置からサーバページを構成するコンテンツと関連したサムネイルイメージを先に受信し、これに基づいて複合スクロールバー構成をサポートできる。そして、通信部１１０は特定サムネイルイメージ選択によって対応するコンテンツ出力が要請される場合、該当コンテンツをサーバ装置から受信することによって、全体送受信されるデータの総量を改善し、データ転送速度の改善を達成するようにサポートする。又は、通信部１１０はサーバページ受信が完了した以後、該当サーバページに含まれたコンテンツと関連したサムネイルイメージを追加でサーバ装置に要請して受信する。上記通信部１１０は、受信されたサーバページ及びサムネイルイメージを受信すれば、これを制御部１６０の制御によって表示部１４０に出力するか、又は格納部１５０に一時的に又は半永久的に格納するようにサポートする。
【００２０】
このような通信部１１０は少なくとも１つの通信方式サポートのために少なくとも１つの通信モジュールを含むことができる。例えば、通信部１１０は、２Ｇ、３Ｇ、４Ｇなど、多様な世代の通信方式をサポートする通信モジュールのうち、少なくとも１つを含んで構成できる。制御部１６０は、ユーザ要請によって通信部１１０を活性化し、要請されたサービス種類によって特定サーバページ受信のための通信チャンネルを形成するようにサポートする。
【００２１】
入力部１２０は、端末機１００の運用に必要な多様な入力信号を生成するように構成される。入力部１２０は、ボタンキーや、サイドキー、ホームキーなど、特定キー形態で提供される他に、フルタッチスクリーンサポートのために仮想タッチパッドとして提供できる。ここで、仮想タッチパッドは表示部１４０の上に表示されてユーザタッチに従う入力信号の生成をサポートするように構成できる。特に、入力部１２０は特定サーバページ受信及び出力のための入力信号、格納部１５０に格納された特定文書ページ表示のための入力信号など、特定コンテンツが含まれたページ活性化のための入力信号をユーザ要請によって、又は予め設定されたスケジュール情報によって生成する。入力部１２０は、特定ページが表示部１４０に出力された状態においてデフォルトで複合スクロールバーが出力されるように設計されていない場合、複合スクロールバー活性化のための入力信号、活性化された複合スクロールバーに含まれた特定索引選択のための入力信号を生成する。また、入力部１２０は特定索引選択によって統合サムネイルが出力される場合、特定サムネイル選択のための入力信号、特定索引選択の以前位置への復帰を要請する入力信号などを生成する。このような入力信号は特定キーボタンの他に、表示部１４０に出力される複合スクロールバーの上で発生するタッチイベントで具現できる。前述した入力信号が制御部１６０に提供されると、提供された入力信号は該当入力要請に従う機能遂行のための命令語で動作する。
【００２２】
オーディオ処理部１３０は、端末機運用過程で発生する多様なオーディオ信号を処理するように構成される。例えば、オーディオ処理部１３０は端末機１００で生成された、又は復号されたオーディオ信号出力をサポートするスピーカーＳＰＫを含み、また音声通話や映像通話機能、録音機能などをサポートするためにオーディオ信号を収集するマイクＭＩＣを含む。このようなオーディオ処理部１３０は、改善されたページ検索機能運用過程で要求される多様な案内音及び効果音の出力をサポートできる。例えば、オーディオ処理部１３０は特定索引のうち、何れか１つが選択される場合、該当索引と関連した情報をオーディオ信号として出力できる。また、オーディオ処理部１３０は統合索引選択時、統合された索引に対する案内情報出力をサポートできる。その他、オーディオ処理部１３０は特定ページ活性化要請時、該当ページサポートのための複合スクロールバー出力を案内する情報の出力をサポートできる。このような案内情報の出力はユーザ設定によって省略できる。
【００２３】
表示部１４０は、本発明の端末機１００の運用過程に必要な多様な機能画面を出力するように構成される。例えば、表示部１４０は、メニュー画面、複数のアイコン表示画面、複数のウィジェット表示画面、待機画面、ロックスクリーン画面など、設定された機能及び端末機１００のサポート機能などによって多様な画面を提供する。特に、本発明の表示部１４０は多様なページ画面を提供する。例えば、表示部１４０は特定サーバ接続によって該当サーバ装置が提供するサーバページ表示画面、特定文書活性化に従う文書ページ表示画面などを出力する。この際、表示部１４０に出力されるページには本発明による改善されたページ検索機能の適用のための複合スクロールバー出力が提供される。このために、ページには種類が異なるコンテンツが含まれ、ページ全体領域が表示部１４０の領域より大きく設けられる。
複合スクロールバーは、ページの一部領域が表示部１４０に出力される時、表示部１４０の一側にデフォルトで出力されるか、又は、ユーザが要請した特定イベントの生成によって出力される。また、表示部１４０に出力された複合スクロールバーは、その位置変更及び／又はサイズ変更がユーザ操作によって可能であり、複合スクロールバーに含まれた索引の形態や色相などが異なるように変更できる。前述した複合スクロールバーの出力と運用に対して後述する画面インターフェースを通じてより詳細に説明する。
【００２４】
格納部１５０は、端末機１００の運用に必要な多様なプログラム、端末機１００の運用で発生する多様なデータを格納する。例えば、格納部１５０は端末機１００の運用に必要なＯＳ（運営体制）などのプログラムを格納する。特に、格納部１５０は本発明による改善されたページ検索機能サポートのための複合スクロールサポートプログラム１５１及びページデータベース１５３を格納する。
【００２５】
複合スクロールサポートプログラム１５１は、改善されたページ検索機能サポートのための多様なルーチンを格納し、改善されたページ検索機能の適用のための入力信号又はイベント発生時、複合スクロールバーの出力をサポートするために制御部１６０にロードされる。このような複合スクロールサポートプログラム１５１は、改善されたページ検索モードの選択のためのメニューアイテム又はアイコンを出力するルーチン、改善されたページ検索モードが活性化された状態で、ページに含まれた情報要素（コンテンツ）を分析するルーチン（当該ページ自身は、当該モードが活性化される以前、若しくは当該モードが活性化されている状態の何れでも受信される）、分析結果によってコンテンツ別に索引を割り当てる割当ルーチンを含む。割当ルーチンは、索引を予め定めた条件に合わせて統合するルーチン、索引別サムネイルイメージを割り当てるルーチン、統合索引にサムネイルイメージを割り当てるルーチン、及び割り当てられた索引又は統合索引を含む複合スクロールバーを表示部１４０に出力するルーチンを含む。
【００２６】
そして、複合スクロールサポートプログラム１５１は複合スクロールバーに出力された特定の索引が選択された時、選択された索引に該当するページ領域の出力をサポートするルーチン、特定索引が選択された時、割り当てられた少なくとも１つのサムネイルイメージを出力するルーチン、及び索引選択がなされる以前の位置への復帰をサポートするルーチンを含む。また、複合スクロールサポートプログラム１５１は複合スクロールバーの拡張に合わせて索引の形態、色、又は含まれた情報の変更をサポートするルーチンを含む。
【００２７】
ページデータベース１５３は、通信部１１０を通じて一時的に受信されたサーバページ、格納部１５０に半永久的に格納された文書ページなどを格納する。また、ページデータベース１５３は、サーバページに含まれたコンテンツの種類情報、各コンテンツのページ内での位置情報、及びコンテンツ別に割り当てられた索引情報が格納される。ここで、索引情報は一定色相の図形情報、各コンテンツ別に割り当てられた特定イメージ、各コンテンツに該当するサムネイルイメージのうち、少なくとも１つを含む。ページデータベース１５３に格納されたページ及びページ分析情報、索引情報は、複合スクロールバーを具現するために制御部１６０に提供される。
【００２８】
制御部１６０は、本発明の実施形態に従う改善されたページ検索機能サポートのために、端末機１００の信号の流れ、データの処理、及び情報の収集と転送などを制御するように構成される。特に、制御部１６０は特定ページの表示部１４０の出力時、当該ページに含まれたコンテンツを分析し、分析結果によって一定索引を割り当てて、これに基づいて複合スクロールバー出力をサポートする。また、制御部１６０は出力された複合スクロールバーの上で発生するイベントによってページ領域の移動又は付加情報の表示などをサポートする。このような制御部１６０は、次に説明する図２に示すような構成を含む。
【００２９】
図２は、本発明の実施形態に従う端末機１００の制御部１６０の構成をより詳細に示す図である。
【００３０】
図２を参照すると、本発明の制御部１６０は、ページ分析部１６１、索引割当部１６３、及び複合スクロールバー運用サポート部１６５を含む。
【００３１】
ページ分析部１６１は、改善されたページ検索モード運用のためのメニューアイテム及び／又はアイコンを出力するか、若しくは、ページ分析部１６１は、本発明の改善されたページ検索モードをデフォルトで提供する。具体的には、ページ分析部１６１は、改善されたページ検索機能が活性化された後で特定のページが呼び出される場合、又は、特定ページが呼び出された後で改善されたページ検索機能を活性化するイベントが生成される場合、表示部１４０に現在出力された、又は表示部１４０に出力されるべきページの分析を遂行する。
【００３２】
ページ分析部１６１は、ページ分析過程でページに含まれたコンテンツを、テキストコンテンツ、イメージ（画像）コンテンツ、オーディオコンテンツなどの情報要素に分類する。ここで、テキストコンテンツはハイパーテキスト又はリンクが連結されたテキストを含み、このようなハイパーテキスト又はリンクが連結されたテキストは一般テキストと区分して互いに異なるコンテンツとして扱われる。また、イメージコンテンツは静止画像イメージと動画像イメージとを含み、静止画像イメージと動画像イメージとは互いに異なるコンテンツに分類される。オーディオコンテンツは、例えばＤＲＭ（Ｄｉｇｉｔａｌ  Ｒｉｇｈｔ  Ｍａｎａｇｅｍｅｎｔ）保護コンテンツ、又はＤＲＭ非保護コンテンツに分類される。一方、ページ分析部１６１はページ内に含まれた全体コンテンツの区分が完了すれば、各コンテンツが配置されたページ内の位置情報を抽出する。そして、ページ分析部１６１は分析情報及び位置情報を索引割当部１６３に提供する。
【００３３】
索引割当部１６３は、分析情報により区分された各コンテンツを種類別に区分できる一定索引を割り当てる。例えば、索引割当部１６３はＡタイプ索引をテキストコンテンツに、Ｂタイプ索引をイメージコンテンツに、Ｃタイプ索引をオーディオコンテンツに、各々割り当てる。更に、前述したように各コンテンツがより詳細な種類に分類される場合、索引割当部１６３はユーザ設定又は複合スクロールバーの形態によって、より詳細なコンテンツ別索引割当をサポートできる。前述したＡタイプ、Ｂタイプ、及びＣタイプなどの索引は互いに区分できるように色や形態、透明度が異なるように具現でき、場合によって、テキスト、イメージ、オーディオコンテンツなどの直観的な認識が可能なように特定の文字が索引に含まれ得る。
【００３４】
索引は複合スクロールバーのサイズによって変更でき、特定のサムネイルイメージで置換できる。ここで、各コンテンツのうちイメージコンテンツに関連する索引を特定のサムネイルイメージで置換できる。このために、索引割当部１６３はページを提供したサーバ装置から該当ページに含まれたコンテンツのサムネイルイメージを要請し受信する。また、索引割当部１６３は、そのようなサムネイルイメージが提供されない場合、特定イメージコンテンツのサイズをリサイジングして一定サイズのサムネイルイメージを生成し、これを該当イメージコンテンツの索引として利用できる。
【００３５】
一方、上記索引割当部１６３はページ内に含まれたコンテンツのうち、特定の種類のコンテンツのみに索引を割り当てることもできる。例えば、索引割当部１６３はページ内に含まれたイメージコンテンツに対してのみ索引を割り当てる。索引割当が完了すれば、索引割当部１６３は各々のコンテンツ別位置情報に索引情報をマッピングし、得られたマッピング情報を複合スクロールバー運用サポート部１６５に提供する。
【００３６】
複合スクロールバー運用サポート部１６５は、索引割当部１６３から索引情報及びそれがマッピングされた位置情報を受信すると、これに基づいて複合スクロールバーを生成する。そして、複合スクロールバー運用サポート部１６５は生成された複合スクロールバーをページが表示された表示部１４０の一側に出力する。ここで、複合スクロールバー運用サポート部１６５は、ページが縦方向にスクロールされる場合、表示部１４０の縦軸に沿って複合スクロールバーを出力し、ページが横方向にスクロールされる場合、表示部１４０の横軸に沿って複合スクロールバーを出力する。複合スクロールバーの生成時、複合スクロールバー運用サポート部１６５は表示部１４０に表示されていないページの隠された領域まで全て含んだページ全体長さに対応するスクロールバーを構成する。そして、複合スクロールバー運用サポート部１６５はスクロールバーに前述した索引を、各コンテンツがページ内で位置した領域に対応するようにスクロールバーの特定位置に配置して複合スクロールバーを生成する。
【００３７】
複合スクロールバー運用サポート部１６５は、複合スクロールバー上で特定イベント、例えばタッチイベントが発生すれば、該当タッチイベントに従うサムネイルイメージを出力し、又はページ領域を変更する。このために、複合スクロールバー運用サポート部１６５は索引割当部１６３からサムネイルイメージの伝達を受けて、サムネイルイメージを特定索引選択時、表示部１４０の一側に出力する。一方、複合スクロールバー運用サポート部１６５は特定索引選択の後、又は特定サムネイルイメージ選択の後、自動で索引選択の以前位置に復帰する。又は、複合スクロールバー運用サポート部１６５は、索引選択の以前位置への復帰を容易にする復帰アイテムを複合スクロールバー上に出力する。
【００３８】
前述したように、本発明の実施形態に従う改善されたページ検索機能をサポートする端末機１００は、ページに含まれたコンテンツの種類を表わす索引を含む複合スクロールバーを出力して、どんな種類のコンテンツがページのどの位置にあるかをユーザが直観的に認識できるようにサポートする。また、本発明の端末機１００は複合スクロールバーの運用を通じて、ユーザが望む特定のコンテンツが配置されたページ領域に迅速且つ容易に移動できるようにサポートする。
【００３９】
図３は、本発明の実施形態に従うページ検索機能サポート方法を説明するための図である。
【００４０】
図３を参照すると、本発明のページ検索機能サポート方法は、まず端末機１００の制御部１６０がステップ３０１で端末機の機能運用待機を遂行する。この過程で、制御部１６０はユーザ設定又はイベント生成に従い、端末機１００をスリープ状態に遷移するか、待機画面を出力するか、ユーザが要請した特定機能を運用するかの何れかをサポートする。以後、制御部１６０は何らかのイベントが発生すれば、ステップ３０３で該イベントがページ表示のためのイベントか否かを確認する。制御部１６０は、ページ表示のためのイベント発生でない場合、ステップ３０５に分岐して該イベントに従う機能遂行をサポートする。例えば、制御部１６０は該イベントの種類や特性に従い、例えば、通話機能を遂行するか、又は放送受信機能、音源再生機能などを遂行する。
【００４１】
一方、制御部１６０はステップ３０３でページ表示のためのイベントが発生した場合、ステップ３０７に分岐して複合スクロールバー表示のための設定があるか否かを確認する。ここで、ページは特定のサーバ装置が供給するサーバページ、又は特定の文書ページなどである。特に、本発明によれば、ページは種類が区分されたコンテンツが複合的に配置されたページであり得る。そして、複合スクロールバー表示のための設定を確認するステップは、前述したようにページ表示の以後に改善されたページ検索モード設定のためのイベントが発生するか、若しくは、ページ表示の以前に又はデフォルトで、改善されたページ検索機能が設定されているか、を確認するステップである。
【００４２】
ステップ３０７で、複合スクロールバー表示のための設定がない場合、制御部１６０はステップ３０９に分岐してページ機能サポートを遂行する。例えば、制御部１６０は受信されたページを表示部１４０に出力し、特定イベント発生によって表示部１４０に出力されるページ領域をスクロールするか、又は、特定コンテンツのリンクされたページへの移動をサポートする。
【００４３】
ステップ３０７で、複合スクロールバー表示のための設定が確認されれば、制御部１６０はステップ３１１に分岐してページ分析を遂行する。この過程で、制御部１６０はページに含まれたコンテンツを各々種類別に区分し、区分された各コンテンツが配置されたページ内の位置情報を収集する。
【００４４】
次に、制御部１６０はステップ３１３で区分された各コンテンツに索引を割り当てる。ここで、制御部１６０は同一種類のコンテンツに対して同一の索引を割り当てる。又は、制御部１６０は区分された各コンテンツに対して各々のサムネイルイメージを索引として割り当てる。以後、制御部１６０はステップ３１５で索引が含まれた複合スクロールバーを表示部１４０に出力する。
【００４５】
そして、制御部１６０はステップ３１７で索引選択のための入力イベントが発生するかを確認する。ここで、索引選択のための入力イベントが発生すれば、制御部１６０はステップ３１９に分岐して選択された索引に該当するコンテンツ出力をサポートする。ステップ３１９での索引選択に従うコンテンツ出力、即ち参照と移動に対して後述する図４及び図５を参照してより詳細に説明する。ステップ３１７で、索引選択のための入力イベントがない場合、制御部１６０はステップ３１９をスキップしてステップ３２１に分岐する。
【００４６】
制御部１６０は、ステップ３２１でページ表示終了のためのイベント発生があるか否かを確認する。そして、制御部１６０はページ表示終了のためのイベント発生がない場合、ステップ３０３の以前に分岐して以下の過程を再遂行する。一方、制御部１６０はステップ３２１でページ表示終了のためのイベントが発生すれば、ページ表示を終了し、本発明の複合スクロールバー運用を終了する。
【００４７】
図４は、本発明の実施形態に従う改善されたページ検索機能サポート過程におけるコンテンツ出力方法の一例を説明するための図である。
【００４８】
図４を参照すると、制御部１６０はステップ３１７で索引選択のための入力イベントが発生すれば、ステップ４０１に分岐して索引に該当するサムネイルイメージを優先的に表示部１４０の一側に出力する。例えば、制御部１６０は索引選択のためのタッチイベントが発生した地点又は該当地点に隣接した領域にサムネイルイメージを表示する。ここで、制御部１６０は索引が複数の索引が統合された統合索引の場合、各々の索引に該当する複数個のサムネイルイメージが含まれた統合サムネイルイメージを出力する。そして、制御部１６０は索引選択時、該当索引が位置したページ領域を表示部１４０が出力するように制御する。
【００４９】
以後、制御部１６０はステップ４０３でサムネイルイメージ選択のためのイベント発生があるか否かを確認する。そして、制御部１６０は特定サムネイルイメージ選択のためのイベント発生がある場合、ステップ４０５に分岐して該サムネイルイメージに該当するページ領域への移動を実行する。即ち、制御部１６０は選択されたサムネイルイメージに対応するページ領域を表示部１４０が出力するように制御する。
【００５０】
ステップ４０３で、サムネイルイメージ選択のためのイベント発生がない場合、即ち索引選択のためのタッチイベントが解除された場合、制御部１６０はステップ４０７に分岐して索引選択の以前のページ領域への移動を実行する。即ち、制御部１６０は索引選択の以前のページ領域を表示部１４０が出力するように制御する。
【００５１】
一方、本発明のページ検索機能はタッチ解除時間によってページ参照機能とページ移動機能とを区分してサポートする。即ち、ユーザが複合スクロールバーに出力された特定索引を選択する場合、端末機１００は該当索引に対応するページ領域を表示部１４０に出力する。そして、端末機１００はタッチ解除時点までかかる時間が予め定義された一定時間以上であれば、タッチ解除が発生しても該当ページ領域を表示部１４０に出力維持する、というページ移動機能を遂行する。一方、端末機１００は、タッチ解除時点が予め定義された一定時間以内であれば、タッチ解除の発生と共に複合スクロールバーの特定索引が選択された直前に表示されていたページ領域が表示部１４０に出力する、というページ参照機能を遂行する。
【００５２】
ここで、タッチ解除時点までかかる時間に従う入力信号は、予め定義された一定時間以上タッチ状態を維持するロングプレス入力イベントに対応する。即ち、端末機１００はロングプレスかタップかを区分して、ページ移動又はページ参照を区分された入力イベントによって遂行する。更に、前述した索引選択に加えて、本発明は、統合索引又は複数個の索引選択によって複数のサムネイルイメージが付加スクロール領域を通じて提供される場合にも前述したページ移動と参照機能を提供する。即ち、この場合端末機１００は付加スクロール領域に提供されたサムネイルイメージのロングプレス選択又はタップ選択によってページ移動又はページ参照機能を遂行する。
【００５３】
また、本発明はロングプレスとタップ信号区分でない他の方式、例えば複合スクロールバーの上で発生するスクロール方向によって移動機能と参照機能とを区分して提供する。例えば、端末機１００は特定索引又は特定サムネイルイメージ選択の以後、第１方向のスクロールイベントが発生すればページ移動機能を遂行し、第２方向のスクロールイベントが発生すればページ参照機能を遂行する。
【００５４】
一方、端末機１００のモード変更、例えば情報表示形態が横モードから縦モードに変更されるか、又は縦モードから横モードに変更される場合、端末機１００はモード変更によって複合スクロールバーの全体長さの変更を遂行し、それに対応して索引の位置調整を遂行する。特に、端末機１００は複合スクロールバー全体長さの変更によって索引の間の離隔距離が増える場合、そして増えた距離が予め定義された距離以上の場合、統合索引の統合を解除する。即ち、端末機１００は各々の索引をモード変更によって確保されたスクロールバー領域の上に出力する。反対に、端末機１００はモード変更によって索引の間の離隔距離が減少する場合、そして減少した距離が予め定義された距離以下の場合、個別的に配置された索引を統合して統合索引として構成する。
【００５５】
図５は、本発明の実施形態に従う改善されたページ検索機能サポート過程におけるコンテンツ出力方法の他の例を説明するための図である。
【００５６】
図５を参照すると、制御部１６０はステップ３１７で索引選択のためのイベント発生がある場合、ステップ５０１に分岐して選択された索引が位置したページ領域への移動を遂行する。このために、制御部１６０は選択された索引のページ内での位置情報を確認し、位置情報に該当するページ領域が表示部１４０に出力されるように制御する。
【００５７】
以後、制御部１６０はステップ５０３で索引選択のためのイベントの選択解除が発生するかを確認する。例えば、制御部１６０は索引選択のためのタッチイベントがタッチ解除されるかを確認する。ここで、制御部１６０は索引選択解除のためのタッチ解除イベントが発生しなければ、該タッチイベントが指定した索引に対応するページ領域の表示部１４０への出力を維持する。なお、例えば、制御部１６０はタッチ状態でドラッグ動作によって他の索引が選択されれば、選択された索引に対応するページ領域を表示部１４０に出力する。
【００５８】
一方、制御部１６０はステップ５０３で選択解除のためのタッチ解除イベントが発生する場合、ステップ５０５に分岐して索引選択の以前ページ領域への移動を遂行する。即ち、制御部１６０は特定索引を選択する以前に表示されていたページ領域を表示部１４０に出力する。
【００５９】
一方、前述した説明では、タッチ（タッチダウン）及びタッチ解除を通じた索引選択の以前ページ領域への復帰について説明したが、本発明はこれに限定されない。即ち、本発明はより多様な入力イベント発生を利用したページ領域復帰動作を提供する。この多様な例示については後述する画面インターフェース説明で追加的に説明する。
【００６０】
図６は、本発明の実施形態に従う改善されたページ検索機能サポートのための画面インターフェースのうち、複合スクロールバーを含んだ画面を説明するための図である。
【００６１】
図６を参照すると、端末機１００はユーザ操作によって、又は設定されたスケジュール情報によって特定サーバページ１４１を図示された図面のように出力する。このために、端末機１００は通信部１１０を活性化し、提供されたアドレス情報に基づいてサーバ装置接続を遂行し、該サーバ装置からサーバページ受信を遂行する。そして、端末機１００はサーバページ受信が遂行されれば、該サーバページを表示部１４０に出力する。この際、端末機１００は改善されたページ検索モードが設定された場合、又は該モード活性化のための入力イベントが発生した場合、複合スクロールバー３０を構成する。
【００６２】
このために、端末機１００はサーバページ内に含まれたコンテンツを分析する。例えば、端末機１００はサーバページ１４１に含まれたコンテンツを分析して、イメージコンテンツ、動画像コンテンツ、及びリンクコンテンツを区分する。すると、端末機１００は区分されたイメージコンテンツ、動画像コンテンツ、及びリンクコンテンツの各々に対する索引２０を割り当てて、割り当てられた索引が配置されるスクロールバー領域１０を含む複合スクロールバー３０を構成する。ここで、端末機１００は各索引２０を該当コンテンツがサーバページ１４１で配置された位置に対応するスクロールバー領域１０の上の位置に出力する。そして、索引２０はコンテンツの種類によって色相や形態が異なるように表示する。複合スクロールバー３０は、図示したようにサーバページ１４１の一側、例えば画面の右側に出力される。この過程で、端末機１００は複合スクロールバー３０をサーバページ１４１に重畳（ｏｖｅｒｌａｙ）して出力するか、又はサーバページ１４１をリサイジングして複合スクロールバー３０を出力する空間を確保し、サーバページ１４１と重ならないように複合スクロールバー３０を出力する。
【００６３】
複合スクロールバー３０に含まれた索引２０が一定間隔以内に配置される場合、タッチを通じての個別的な選択が困難であることがある。これをサポートするために、端末機１００は索引２０のうち、スクロールバー領域１０の上に出力される時、予め定義された一定の距離以内に配置される索引を統合して統合索引２１として出力する。即ち、統合索引２１は索引選択過程で一定の距離以内に固めて提供される索引を個別的に選択できるように提供する索引であって、該当統合索引２１の選択時、統合索引２１に含まれた個別索引が各々選択できるように別途の付加スクロール領域を出力する。ここで、付加スクロール領域は統合索引２１に含まれた索引を個別タッチ可能に予め定義された一定間隔で離隔配置した領域である。又は、付加スクロール領域においては、統合索引２１に含まれた索引の各々に対応したサムネイルイメージは、一定間隔で羅列してタッチを通じて選択できるように配置される。
【００６４】
一方、ページに含まれたコンテンツの個数が一定個数以上であることにより複合スクロールバー３０に該コンテンツに対応する索引を全て表示し難い場合、端末機１００は現在表示部１４０に表示されているページ領域と隣接した一定範囲以内のページ領域内に含まれたコンテンツに対応する索引のみを複合スクロールバー３０に表示する。これによって、ユーザが複合スクロールバー３０の位置移動のためのタッチを遂行すれば、端末機１００はページ移動によって複合スクロールバー３０に表示する索引も変更する。
【００６５】
前述したように、本発明の改善されたページ検索機能をサポートする端末機１００は、サーバページ１４１のコンテンツを種類別に分析し、各コンテンツ別区分が可能な索引２０を提供することによって、サーバページ１４１に含まれた特定コンテンツ検索をより容易にする。
【００６６】
図７は、本発明の実施形態に従う複合スクロールバー３０の多様な形態について説明するための図である。
【００６７】
図７を参照すると、本発明の端末機１００は改善されたページ検索モードが適用されたサーバページ１４１の出力要請時、７０１画面（ｉｎｄｉｃｉａ）のように色区分された基本索引２０ａとスクロールバー領域１０とを含む第１複合スクロールバー３１を表示部１４０の一側に出力する。
【００６８】
一方、端末機１００は第１複合スクロールバー３１の拡張のための入力イベント発生がある場合、７０３画面のように一定情報が記入された情報索引２０ｂと、スクロールバー領域１０を含む第２複合スクロールバー３２を出力する。ここで、第１複合スクロールバー３１を第２複合スクロールバー３２に変更できるように端末機１００は別途のメニューアイテムを提供する。また、ユーザが第１複合スクロールバー３１を第２複合スクロールバー３２に変更するための予め定義されたジェスチャーイベントを生成する場合、端末機１００は複合スクロールバーの変更を遂行する。
例えば、ユーザが第１複合スクロールバー３１の上でスクロール方向と異なる方向、例えば左右方向にスクロールする場合、端末機１００はこれを複合スクロールバーの変更のためのジェスチャーイベントとして認識する。又は、端末機１００は予め定義された特定形態のジェスチャーイベント受信時、複合スクロールバーの変更を遂行する。
【００６９】
端末機１００は、第２複合スクロールバー３２のようにスクロールバー領域１０が拡張されれば、スクロールバー領域１０に出力する索引の形態を変更する。即ち、端末機１００は色区分だけでコンテンツの種類を区分する基本索引２０ａを情報が記入された情報索引２０ｂに変更できる。ここで、情報索引２０ｂは各索引が指示するコンテンツがどんな種類のものであるか確認することができるテキストが記入されるか、又は、予め定義された一定イメージ及び／又はパターンが記入されて構成される。例えば、情報索引２０ｂはイメージコンテンツであることを指示するための“Ｉ”字、動画像コンテンツであることを指示するための“Ｍ”字、又は、リンクコンテンツであることを指示するための“Ｌ”字を有する。又は、情報索引２０ｂは各コンテンツの種類別に予め定義された一定パターンを含んで表示される。
【００７０】
一方、端末機１００は追加的な複合スクロールバーの変更のための入力イベントが発生すれば、７０５画面のように第３複合スクロールバー３３を表示部１４０の上に出力する。この際、端末機１００は第３複合スクロールバー３３をサーバページ１４１の上にオーバーレイして表示する。又は、端末機１００は第３複合スクロールバー３３を別途の領域を割り当てて出力し、このためにサーバページ１４１のサイズを縮めるようにリサイジングする。
【００７１】
一方、第３複合スクロールバー３３の構成時、端末機１００は基本索引２０ａをサムネイルイメージ索引２０ｃに変更して出力する。このために、端末機１００は各基本索引２０ａに該当するコンテンツのサムネイルイメージを収集する。端末機１００は、当該サーバページ１４１を提供したサーバ装置に要請して該コンテンツのサムネイルイメージを収集することができる。ここで、端末機１００はサーバ装置がサムネイルイメージを提供しない場合、各コンテンツをリサイジングして予め定義されたサイズ及び解像度のサムネイルイメージを生成する。そして、端末機１００はサムネイルイメージの収集又は生成が完了すれば、各基本索引２０ａが出力された位置にサムネイルイメージを索引として出力して第３複合スクロールバー３３を構成する。ここで、サムネイルイメージ索引２０ｃは基本索引２０ａの隣接度に対応するように配置され、これによってサムネイルイメージ索引２０ｃは互いに一定部分重畳して出力される。ユーザは、サムネイルイメージ索引２０ｃを通じてサーバページ１４１に含まれたコンテンツの種類と配置位置をより直観的に確認し、ページ検索を遂行できる。
【００７２】
図８は、本発明の実施形態に従う統合索引運用を説明するための図である。
【００７３】
８０１画面（ｉｎｄｉｃｉａ）のように、表示される複数の索引がスクロールバー領域１０の上で一定間隔以内に位置する場合、端末機１００は該複数の索引を統合して統合索引２１を生成する。そして、統合索引２１を選択する選択イベントが発生すれば、端末機１００は８０３画面、８０５画面、及び８０７画面のように多様な形態のうちの何れか１つの形態を採用して統合索引２１に含まれた索引を選択できるように付加スクロール領域を出力する。
【００７４】
これをより詳細に説明すれば、端末機１００は統合索引２１を選択するイベントが受信されれば、８０３画面のように統合索引２１の選択イベントが発生した領域を中心に隣接した領域に縦方向に長い第１付加スクロール領域４１を出力する。この際、第１付加スクロール領域４１には統合索引２１に含まれた索引に対応するサムネイルイメージが出力される。ユーザは、統合索引２１の選択イベント生成後、出力される第１付加スクロール領域４１の上で上下方向にドラッグ動作を遂行して出力されたサムネイルイメージのうち、特定サムネイルイメージを選択できる。特定サムネイルイメージが選択されれば、端末機１００は該特定サムネイルイメージに対応するコンテンツが配置されたページ領域を表示部１４０に出力する。
【００７５】
一方、前述した第１付加スクロール領域４１に３個のサムネイルイメージが出力されることは統合索引２１が３個の索引を統合して構成されたことに起因する。結果的に、４個の索引を統合した統合索引が選択される場合、付加スクロール領域は対応する４個のサムネイルイメージを含んで構成される。又は、付加スクロール領域は一定個数のサムネイルイメージが出力できるように制限され、該当領域の上で発生するドラッグイベントによって他のサムネイルイメージが新しく出力されるようにできる。例えば、５個の索引が統合された統合索引選択によって端末機１００は５個のサムネイルイメージのうち、３個を付加スクロール領域に出力し、ドラッグ動作によって最初は出力されていない残りの２つのサムネイルイメージを付加スクロール領域に出力する。
【００７６】
８０５画面を参照すると、端末機１００は統合索引２１を選択するイベントが受信されれば、統合索引２１の選択イベントが発生した領域を中心に隣接した領域に横方向に長い第２付加スクロール領域４２を出力する。この際、第２付加スクロール領域４２には統合索引２１に含まれた索引に対応するサムネイルイメージが横方向に一定間隔離隔して配置される。ユーザは、統合索引２１の選択イベント生成後、出力される第２付加スクロール領域４２の上で左右方向のドラッグ動作を遂行して出力されたサムネイルイメージのうち、特定サムネイルイメージを選択できる。特定サムネイルイメージが選択されれば、端末機１００は上記８０３画面と同様に該特定サムネイルイメージに対応するコンテンツが配置されたページ領域を表示部１４０に出力する。
【００７７】
８０７画面を参照すると、端末機１００は特定統合索引２１を選択するイベントが受信されれば、表示部１４０の一定領域、例えば複合スクロールバーを覆いながら縦方向に長い第３付加スクロール領域４３を出力する。この際、第３付加スクロール領域４３には予め定義された一定サイズのサムネイルイメージが一定間隔で羅列して配置される。ユーザは、特定統合索引２１の選択によって第３付加スクロール領域４３が出力されれば、第３付加スクロール領域４３上で上下方向にドラッグ動作を遂行するか、又は、特定サムネイルイメージを選択する動作を遂行できる。すると、端末機１００は選択された特定サムネイルイメージに対応するコンテンツが位置するページ領域を表示部１４０に出力するようにサーバページ１４１上の移動を遂行する。
特に、第３付加スクロール領域４３にはコンテンツをより明らかに表示できるように原イメージをリサイジングした一定サイズのサムネイルイメージが配置される。この際、第３付加スクロール領域４３に出力されるサムネイルイメージは第１付加スクロール領域４１又は第２付加スクロール領域４２に出力されるサムネイルイメージより大きいサイズを有する。特定サムネイルイメージ選択動作が遂行されるか、又はタッチ動作を完了するタッチ解除イベントが発生すると、端末機１００は複合スクロールバーをサーバページ１４１上に出力する。
【００７８】
一方、第３付加スクロール領域４３は第１付加スクロール領域４１が出力された状態で、さらに一定のドラッグ動作によって提供されることもできる。即ち、第１付加スクロール領域４１が出力された以後、ユーザが左右方向へのドラッグ動作というタッチイベントを遂行すれば、端末機１００は該タッチイベント受信によって第１付加スクロール領域４１を拡大して表示することによって第３付加スクロール領域４３に変更出力できる。この際、端末機１００は左方又は右方にドラッグ動作が遂行される場合、第１付加スクロール領域４１を拡大して表示し、右方又は左方にドラッグ動作が遂行される場合、拡大された付加スクロール領域を縮小して表示できる。
このような機能は第２付加スクロール領域４２にも同様に適用できる。即ち、第２付加スクロール領域４２が出力された以後、サムネイルイメージ指示のためのタッチ方向の以外の方向、例えば上下方向へのドラッグイベントが受信されれば、端末機１００は第２付加スクロール領域４２を拡大して表示し、拡大された付加スクロール領域をドラッグイベントによって縮小して表示できる。付加スクロール領域の拡大に合わせて、その内部に配置された索引及びサムネイルイメージのサイズも変更される。
【００７９】
一方、前述した説明では複合スクロールバー３０に出力される索引が一定間隔以内に位置する場合、統合して統合索引としてサポートする構成について説明したが、本発明はこれに限定されない。即ち、本発明は、複合スクロールバー３０の生成過程で統合索引生成を遂行する代わりに、複合スクロールバー３０に各々の索引を出力した以後、選択過程で複数個の索引が同時に選択される場合、それに従い該複数個の同時選択された索引を合併して統合索引とすることもできる。これをより詳細に説明すれば、図示したように一定間隔以内に複数個の索引が位置する場合、ユーザが指を用いて特定索引をタッチすればよい。
【００８０】
端末機１００は、ユーザの指タッチにより同時に選択される複数個の索引が存在する場合、該複数個の索引を統合索引として処理する。即ち、端末機１００は同時選択された複数個の索引の各々を選択することができるように各索引が一定間隔離隔した位置に配置された付加スクロール領域を出力する。この際、付加スクロール領域は、前述したように複数個の索引の代わりにサムネイルイメージが一定間隔離隔した位置に配置されるように構成される。
【００８１】
例えば、端末機１００は、一回のタッチにより３個の索引が同時タッチされた場合、３個の索引又はそれに対応する３個のサムネイルイメージが一定間隔離隔配置される付加スクロール領域を出力する。また、端末機１００は一回のタッチにより２つの索引が同時タッチされる場合、２つの索引が一定間隔離隔配置された、又は２つの索引に対応する２つのサムネイルイメージが一定間隔離隔配置された付加スクロール領域を出力する。
【００８２】
更に、端末機１００はコンテンツの配置間隔が密集して索引を出力する過程で予め定義された一定間隔以内に重畳出力される場合、１つの索引として出力し、且つ該索引により指定されるコンテンツの個数情報をスクロールバー領域に出力する。例えば、端末機１００は３個の索引が一定間隔以内に重複配置される場合、１つの索引のみを出力し、出力された索引の隣接した領域に、又は該索引の上にオーバーレイされるように“３”に該当する数字又は文字を出力する。このような機能サポートを通じて端末機１００はページ内に含まれた特定索引に幾つかのコンテンツが重複配置されているかをユーザが容易に確認できるようにする。
【００８３】
図９は、本発明の改善されたページ検索機能サポートのうち、以前位置復帰サポートを説明するための図である。
【００８４】
図９を参照すると、端末機１００は特定のサーバページ要請を受信すると、該サーバページのアドレス情報を確認し、通信部１１０を活用してサーバ装置接続を遂行する。そして、端末機１００はサーバ装置にサーバページを要請して当該サーバページを受信する。この過程で、端末機１００はサーバページに含まれたコンテンツ分析を遂行し、分析されたコンテンツに種類別索引を割り当てる。そして、端末機１００は各々の索引及び該サーバページ内での索引位置情報に基づいて複合スクロールバー３０を構成して図示したように表示部１４０に出力する。この際、端末機１００はサーバページ１４１を表示部１４０に出力し、複合スクロールバー３０をサーバページ１４１の上にオーバーレイするように出力する。若しくは、ユーザ設定によって、又は設計者の設定によって、サーバページ１４１をリサイジングして複合スクロールバー３０を出力する領域を確保した後、確保された領域にサーバページ１４１が重畳しないように複合スクロールバー３０を出力する。
【００８５】
一方、端末機１００は複合スクロールバー３０を運用する過程で以前位置復帰をサポートする。このために、端末機１００は特定サーバページ領域が表示部１４０に出力された状態で複合スクロールバー３０の上に出力された或る索引が選択されると、以前に出力されたサーバページ領域に対応する複合スクロールバー３０の領域に第１以前地点標識５１を出力する。例えばユーザがサーバページ１４１の例えば開始部分を閲覧した後、複合スクロールバー３０の例えば中央付近の位置に配置された特定索引を選択する場合、端末機１００は索引選択に従うサーバページ移動を遂行する。これによって、表示部１４０には選択された索引に対応するサーバページ領域が出力される。この際、端末機１００は索引選択以前地点としてサーバページ１４１の、この場合、開始部分に第１以前地点標識５１を出力する。
【００８６】
ユーザは、複合スクロールバー３０の中央部分に配置された特定索引選択の以後、追加的なサーバページ１４１の閲覧を遂行するために他の索引、例えば複合スクロールバー３０の下端に位置した特定索引を選択する。すると、端末機１００は以前に選択された複合スクロールバー３０の中央部分に配置された索引に対する第２以前地点標識５２を出力することができる。これと共に、端末機１００は以前に選択された索引が最初を基準に何番目に選択された色であるかを区分するための情報を出力することができる。例えば、端末機１００は複合スクロールバー３０の開始部分に配置された第１以前地点標識５１の隣接した領域又は当該索引領域にオーバーレイするように数字“１”を出力し、第２以前地点標識５２の隣接した領域又は当該索引領域にオーバーレイして数字“２”を出力する。又は、端末機１００は選択順序をユーザが認識できるように付加情報を出力したり、特定標識の色相や透明度の変更を遂行することもできる。前述した第１以前地点標識５１の選択又は第２以前地点標識５２の選択が遂行されれば、端末機１００は選択された地点に該当するサーバページ領域への移動を遂行する。
【００８７】
一方、端末機１００は以前地点標識を一定時間が経過すれば自動的に除去するか、又は、以前地点標識除去のためのメニューアイテムを提供して該メニューアイテムが選択されると、以前地点標識を除去する。又は、端末機１００は予め定義された特定ジェスチャーイベントが発生すると、以前地点標識を表示部１４０から除去する。又は、端末機１００は以前地点標識が出力された以後に選択されれば、選択された以前地点標識を表示部１４０から除去する。この際、端末機１００は選択されていない以前地点標識の出力は維持し、前述した方式のような予め定義された一定条件を満足する場合に以前地点標識を除去する。前述した以前地点表示機能は、デフォルトで提供されるか、又は、ユーザ設定に合わせて活性化又は不活性化される。
【００８８】
図１０は、本発明の実施形態に従う改善されたページ検索機能サポートのうち、以前位置復帰サポートの他の方案を説明するための図である。
【００８９】
図１０を参照すると、まず端末機１００はユーザ要請によって、又は設定されたスケジュール情報によって特定サーバページを受信し、受信された特定サーバページ１４１を１００１画面のように表示部１４０に出力する。この際、端末機１００は特定サーバページ１４１に含まれたコンテンツを分析してコンテンツを種類別に区分し、種類別コンテンツに索引を割り当てる。そして、端末機１００は特定サーバページ１４１の全体サイズに対応するスクロールバー領域を算出し、スクロールバー領域の上に索引を対応するコンテンツのページ内での位置に合わせて配置して複合スクロールバー３０を構成する。構成された複合スクロールバー３０は、表示部１４０の画面の一側に出力される。ユーザは、複合スクロールバー３０に出力された特定索引を選択することによって、該特定索引に対応するコンテンツが配置されたページ１４１を表示部１４０に出力するように要請できる。端末機１００は、複合スクロールバー３０に含まれた特定索引、例えば中央付近に配置された複数個の索引が選択されると、１００３画面のように複数個の索引のうちの特定索引に対応するコンテンツをユーザが選択できるようにするために、付加スクロール領域４０を表示部１４０に出力する。ここで、端末機１００は図示したようなサイズの付加スクロール領域４０の外に、図８で説明した他の形態の付加スクロール領域を出力できる。
【００９０】
付加スクロール領域４０が出力された以後、付加スクロール領域４０に含まれる、例えば第１乃至第３サムネイルイメージ６１、６２、６３のうち、例えば第２サムネイルイメージ６２が選択されると、端末機１００は１００５画面のように第２サムネイルイメージ６２に対応するページ領域を表示部１４０に出力する。この際、端末機１００は第２サムネイルイメージ６２が選択される以前の以前地点標識５０を図示したように出力する。
【００９１】
さらに詳しく説明すると、ユーザは最初の複合スクロールバー３０の領域で索引選択のためのタッチ（タッチダウン）動作を遂行し、該索引選択によって付加スクロール領域４０が出力されると、タッチダウンを解除しない状態でタッチドラッグ動作を遂行して例えば第２サムネイルイメージ６２を選択できる。すると、ユーザがタッチダウン状態を維持している間、端末機１００は第２サムネイルイメージ６２に対応するページ領域を表示部１４０に出力する。一方、ユーザがタッチダウン状態を解除する場合、端末機１００は１００７画面のように前記特定索引選択以前の位置への自動的移動を遂行する。
このために、端末機１００は複合スクロールバー３０上の特定索引が配置された領域が選択されると、以前地点に対する位置情報を一時格納し、索引選択のためのタッチ動作が完了すれば、一時格納された以前地点に該当するページ領域を表示部１４０に出力する。即ち、端末機１００は複合スクロールバー３０上で一定地点を選択するタッチイベント発生時、該地点に対応するページ領域を表示した後、別の特定タッチイベント発生時、地点選択タッチイベント生成以前のページ領域を自動的に表示する。ここで、端末機１００はユーザ設定に合わせて以前のページ領域に自動的に復帰するか、又は、前述したように、以前地点標識の出力と選択を介して以前のページ領域地点に移動する。
【００９２】
図１１は、本発明の実施形態に従う改善されたページ検索機能が適用された文書ページ運用を説明するための図である。
最初に、文書ページの場合、絵オブジェクトは一定の識別子（ｉｄｅｎｔｉｆｉｅｒ）、即ち、例えば＜表１＞に定義する要素（ｅｌｅｍｅｎｔ）により弁別（ｄｉｓｔｉｎｇｕｉｓｈ）される。
【００９３】
【表１】
2014149834.tif 000003
【００９４】
また、＜表２＞に表すように、絵オブジェクトの位置は既に定義されたＸＰｏｓ、ＹＰｏｓ値により特定（ｉｄｅｎｔｉｆｙ）され、該、絵オブジェクトが或るグループ内のどこに位置するかが特定できる。ここで、グループとは、１つの段落（ｐａｒａｇｒａｐｈ）、又は、１つのページである。従って、段落の場合、更にその段落がどのページに属するかを特定でき、これによって前記絵オブジェクトが文書内の何番目のページに存在するか、特定が可能になる。結果的に、そのような絵オブジェクトの情報は複合スクロールバー上に相対的に表示される。
【００９５】
【表２】
2014149834.tif 000004
【００９６】
また、ハイパーテキスト、例えばＯＬＥ（Ｏｂｊｅｃｔ＿Ｌｉｎｋｉｎｇ＿＆＿Ｅｍｂｅｄｄｉｎｇ）オブジェクトに対しては、＜表３＞に示したような要素（ｅｌｅｍｅｎｔ）の定義が提供され、位置値は当該文書のソース情報から提供される。それ故、端末機１００は、文書のソース情報から抽出した定義値に基づき、絵オブジェクト及びＯＬＥオブジェクトを含む情報要素（コンテンツ）を特定し、文書全体における各オブジェクトの相対的な位置情報を獲得できる。
【００９７】
【表３】
2014149834.tif 000005
【００９８】
前述した＜表１＞乃至＜表３＞は“．ｈｗｐ”ワープロにより提供されるソース情報を例示したものであって、他のワープロもまた類似の様式を用いて情報要素（コンテンツ）の種類及び位置を定義する。これによって、端末機１００は、文書の拡張に伴う、各ワープロで定義する固有の区分方式に対応するコンテンツの定義値に関する情報を予め格納しておき、これに基づいて特定文書に含まれたコンテンツ別位置情報を収集し、本発明による複合スクロールバーを出力する。
【００９９】
一方、図１１を参照すると、端末機１００はユーザ要請によって、又は設定されたスケジュール情報によって文書ページ出力を要請するイベントが発生すると、１１０１画面のように文書ページ１４２を表示部１４０に出力する。この際、表示部１４０に出力され検索される文書ページ１４２は当該文書の引き続いた全体ページから構成される。例えば、出力が要請された文書ファイルが２０個のページを含む場合、文書ページ１４２は２０ページで構成される。
【０１００】
一方、端末機１００は文書ファイル出力が要請されると、文書ページ１４２に含まれた多様なコンテンツを分析し、分析結果によってコンテンツ種類別索引を割り当てる。例えば、端末機１００は文書ページ１４２に含まれたテキストコンテンツ、イメージコンテンツ、リンクコンテンツを各々区分する。そして、端末機１００はテキストコンテンツを除外したイメージコンテンツとリンクコンテンツに各々索引を割り当てる。１１０１画面は、文書ページ１４２の全体に例えば、２つのイメージコンテンツと２つのリンクコンテンツが含まれている場合であり、それによって、複合スクロールバー３０は２つのイメージ索引２２−１、２２−２と２つのリンク索引２３−１、２３−２を含む。
【０１０１】
ここで、ユーザは文書ページの一部分、例えば前部分を閲覧してから、１１０３画面に示すように、例えば第１イメージ索引２２−１を選択する。すると、端末機１００は今、閲覧されたページ領域に対応する複合スクロールバー３０の部分に第１以前地点標識５１を出力し、選択された第１イメージ索引２２−１に該当するコンテンツが配置されたページ領域に移動する。そして、端末機１００は１１０５画面に示すように、第１イメージ索引２２−１に対応するイメージコンテンツが配置されたページ領域を表示部１４０に出力する。
【０１０２】
一方、ユーザは第１イメージ索引２２−１の選択を通じてイメージコンテンツを確認し、以後、複合スクロールバー３０の一定地点を選択する。すると、端末機１００は複合スクロールバー３０の上で選択された地点に対応するページ領域を表示部１４０に出力する。これと共に、端末機１００は第１以前地点標識５１を表示部１４０から除去し、第２以前地点標識５２を以前に選択された地点、即ち第１イメージ索引２２−１に配置する。言い換えると、端末機１００は複合スクロールバー３０に出力される以前地点標識を１つのみ維持する。例えば、第１イメージ索引２２−１を選択した後、第１リンク索引２３−１を選択するイベントが生成されると、端末機１００は以前地点標識を第１イメージ索引２２−１に配置し、第１リンク索引２３−１を選択した後に再び第１イメージ索引２２−１が選択されると、第１リンク索引２３−１に以前地点標識を出力する。以上、図１１に従う方式では、直前に選択された以前地点標識のみが生き残るので、ページ分岐をより自由に遂行でき、且つ以前の地点に対する復帰機能を簡単化してあるので、簡便なページ検索を具現できる。
【０１０３】
前述した以前地点への復帰に対する多様な方式は、ユーザ設定によって何れか１つに決定できる。このために、端末機１００は前述した多様な復帰方式に対してユーザが選択できるようにメニュー形態を提供し、メニュー選択によって特定の復帰方式を決定できる。ここで、端末機１００は特定メニュー選択時、当該復帰方式に関して案内するチュートリアルを提供できる。
【０１０４】
図１２は本発明の実施形態に従う複合スクロールバー出力の多様な形態を説明するための図であって、特にサーバページプラットフォーム形態を確認することによって、本発明の複合スクロールバー適用領域の特性を説明するための図である。
【０１０５】
図１２を参照すると、現在サーバページ、例えばウェブページの場合、図示したようにＭＶＣ（Ｍｏｄｅｌ／Ｖｉｅｗ／Ｃｏｎｔｒｏｌｌｅｒ）モデル基盤にＨＴＭＬ５バージョンが適用され、ＨＴＭＬ５バージョンはＨＴＭＬで作成されたコンテンツとＣＳＳで作成されたレイアウトの形態を有する。特に、ＨＴＭＬ５構造は図示したように“＜ｈｅａｄｅｒ＞、＜ｎａｖ＞、＜ａｓｉｄｅ＞、＜ｓｅｃｔｉｏｎ＞、＜ｆｏｏｔｅｒ＞”領域で構成され、“＜ｓｅｃｔｉｏｎ＞”領域も“＜ｈｅａｄｅｒ＞、＜ａｒｔｉｃｌｅ＞、＜ｆｏｏｔｅｒ＞”領域で構成される。これによって、端末機１００は索引割当のためにコンテンツを分析する過程で一定領域、例えば“ｓｅｃｔｉｏｎ”領域に対するコンテンツのみを分析する。そして、端末機１００はコンテンツ分析された領域に対する複合スクロールバーを作成し、当該複合スクロールバーを出力する。ここで、端末機１００は複合スクロールバーを“ｓｅｃｔｉｏｎ”提供のために該当ページに定義された領域内のみに出力するか、又は、表示部１４０の右側縁の上端と下端の全体に亘って出力する。即ち、端末機１００は複合スクロールバーのサイズと出力位置を制限又は調整する。一方、端末機１００は“ａｓｉｄｅ”領域に対するコンテンツを分析することもでき、それに従う複合スクロールバーを出力することもできる。
【０１０６】
図１３は、本発明の改善されたページ検索機能サポートのために複数の複合スクロールバー出力又は選択的複合スクロールバー出力を説明するための図である。
【０１０７】
図１３を参照すると、本発明の端末機１００はページ出力が要請される場合、出力するページを分析し、この過程で複合スクロールバー出力のためにページの特定領域を分析する。例えば、端末機１００は複数個の分割領域１４３ａ、１４３ｂを含む複合ページ１４３が出力される場合、各分割領域１４３ａ、１４３ｂのうち、少なくとも１つの分割領域に含まれたコンテンツを分析し、分析された結果によって索引割当と複合スクロールバーを出力する。ここで、分割領域１４３ａ、１４３ｂは、各々独立的にスクロールされる。
【０１０８】
ページ１４１が２つの分割領域１４３ａ、１４３ｂを含むと仮定すれば、端末機１００は２つの分割領域１４３ａ、１４３ｂのうち、デフォルトで選ばれた特定分割領域、例えば第１分割領域１４３ａの内に含まれたコンテンツに対する分析を遂行し、分析されたコンテンツに該当する索引を割り当てる。これによって、端末機１００は第１分割領域１４３ａに対応する複合スクロールバー３０ａを構成し、これを第１分割領域１４３ａの一部領域が表示された表示部１４０の領域の上に出力する。結果的に、端末機１００はページ１４１の出力時、第１分割領域１４３ａに対応する複合スクロールバー３０ａのみを出力する。
【０１０９】
一方、ユーザが第２分割領域１４３ｂの検索のための動作、例えばタッチを行うと、端末機１００は第２分割領域１４３ｂに対する複合スクロールバー３０ｂを出力する。このために、端末機１００は第２分割領域１４３ｂの検索のためのタッチ動作が発生した時点において、第２分割領域１４３ｂに含まれたコンテンツを分析と索引割当及び複合スクロールバー３０ｂの構成を遂行する。又は、端末機１００はページ１４１を受信する時点において、各分割領域１４３ａ、１４３ｂに対する複合スクロールバー３０ａ及び複合スクロールバー３０ｂの構成を遂行し、ユーザが選択する特定分割領域に対応する複合スクロールバーを出力することもできる。ユーザが第２分割領域１４３ｂを選択し、複合スクロールバー３０ｂが出力されると、端末機１００は複合スクロールバー３０ａを表示部１４０から除去する。又は、端末機１００はデフォルトで提供された複合スクロールバー３０ａの出力を維持し、複合スクロールバー３０ｂに対してのみ選択解除される場合、表示部１４０から除去することもできる。また、端末機１００は複合スクロールバー３０ａと複合スクロールバー３０ｂとを統合して複合スクロールバー３０ｂの領域のみに出力することもできる。この際、複合スクロールバー３０ｂの領域に出力される複合スクロールバーの種類、即ち３０ａ又は３０ｂのうちの何れか１つがユーザ選択によって決定されるか、又は、分割領域１４３ａ又は１４３ｂのうち、現在ユーザにより運用されている分割領域に対応する複合スクロールバーが複合スクロールバー３０ｂの領域に出力される。別途のユーザの分割領域運用がない場合、デフォルトに指定された特定分割領域に対する複合スクロールバーが複合スクロールバー３０ｂの領域に出力される。また、本発明の端末機１００は各分割領域に対応する複合スクロールバーを、ユーザが容易に制御できるように中央領域に複数個を配置することができる。即ち、複合スクロールバー３０ｂは複合スクロールバー３０ａが配置された領域に隣り合うように配置されることもできる。また、本発明の複合スクロールバー３０ａ及び３０ｂは縦方向に表示される分割領域と他の方向、例えば横方向の位置に配置されることもできる。例えば、複合スクロールバー３０ａ、３０ｂは分割領域の上端や下端に一定領域の割当を受けるか、又はオーバーレイされる方式により横に配置されることもできる。
【０１１０】
また、本発明の端末機１００はデフォルトとして分割領域１４３ａ、１４３ｂに対するコンテンツ分析と索引割当及び複合スクロールバー出力を遂行することもできる。即ち、端末機１００は複合ページ１４３の受信時、他の種類のコンテンツが配置された各領域を分析し、各領域別に該当コンテンツに対応する索引を割り当てた後、これに基づいて多数個の複合スクロールバーが同時に出力されるようにできる。前述した多数個の複合スクロールバー出力方式は、設計者の意図によって異なるように適用できる。
【０１１１】
図１４は、本発明の実施形態に従う複合スクロールバー構成の他の一例を説明するための図である。
【０１１２】
前述したように、端末機１００はページ出力過程でサムネイルイメージをサーバ装置から別途に受信して収集するか、又は、収集されたページに含まれたコンテンツに基づいてサムネイルイメージを生成する。結果的に、端末機１００は特定ページに対応するサムネイルイメージのみを含む情報を収集する。従って、端末機１００は複合スクロールバーを具現する過程で、ページに含まれたコンテンツを種類別に分析せず、収集されたサムネイルイメージに基づいて具現することもできる。このために、サムネイルイメージには各コンテンツがページの内で位置した位置情報が共に含まれる。
【０１１３】
これをより詳細に説明すると、画面１４０１のように、サムネイルイメージが収集されれば、端末機１００は予め定義された一定種類のコンテンツ、例えばテキストコンテンツを除外し、画面１４０３のように、残りのコンテンツに対する分類作業を遂行する。そして、分類作業が完了すれば、端末機１００は画面１４０５のように各コンテンツのページ内での位置情報を確認して一定間隔以内に配置されるサムネイルイメージをスクロールバー領域に重畳して配置する。
【０１１４】
端末機１００は、サムネイルイメージの配置が完了すると、各サムネイルイメージのコンテンツ種類別に特定索引を割り当てる。そして、割り当てられた索引を画面１４０７に示すように、一定形態のスクロールバー領域に配置することによって、端末機１００は基本タイプ複合スクロールバーを構成できる。一方、画面１４０５で生成したスクロールバー領域にサムネイルイメージを配置したデータは別途タイプの複合スクロールバーに利用できる。
【０１１５】
一方、前述した説明ではコンテンツ種類区分に対して、テキスト、イメージ、リンクコンテンツなどについて説明したが、本発明の端末機１００はより多様なコンテンツ区分にも適用可能である。例えば、端末機１００はページ内に含まれた表、数学公式、図形なども別途のコンテンツに区分し、区分されたコンテンツに対応該当する索引の割当ができる。
【０１１６】
以上、説明したように、本発明の実施形態に従う改善されたページ検索機能はページに含まれたコンテンツを種類別に区分し、区分されたコンテンツに対応する索引で構成された複合スクロールバーを提供する。これによってユーザは、表示部１４０に出力されていないページ領域に配置されたコンテンツの種類とページ上の位置、従ってページ全体の規模、をより直観的に認識でき、所望のコンテンツが配置されたページ領域へ、より簡便且つ迅速に移動できる。さらに、本発明によれば特定のページ領域を選択した後の以前のページ領域への復帰が簡単にできるので、ページ参照と移動をより容易になる。
【０１１７】
一方、前述した携帯端末機１００はその提供形態によって多様な追加モジュールをさらに含み得る。即ち、上記携帯端末機１００は通信端末機の場合、近距離通信のための近距離通信モジュール、上記携帯端末機１００の有線通信方式、又は無線通信方式によるデータ送受信のためのインターフェース、インターネットネットワークと通信してインターネット機能を遂行するインターネット通信モジュール及びディジタル放送受信と再生機能を遂行するディジタル放送モジュールのように、上記で言及のない構成をさらに含み得る。このような構成要素の追加による構成変形は、昨今のディジタル機器のコンバージェンス（ｃｏｎｖｅｒｇｅｎｃｅ）趨勢に伴い非常に多様で、全てを列挙できないが、上記言及された構成要素と同等な水準の構成要素が携帯端末機１００にさらに含まれ得る。また、本発明の携帯端末機１００はその提供形態によって上記の構成から特定構成要素が除外されるか、又は、他の構成要素で置換され得ることは勿論である。これは、本技術分野の通常の知識を有する者であれば、容易に理解できるであろう。
【０１１８】
また、上記携帯端末機１００に係わる本発明の実施形態は、多様な通信システムに対応する通信プロトコル（ｃｏｍｍｕｎｉｃａｔｉｏｎ  ｐｒｏｔｏｃｏｌｓ）に基づいて動作する全ての移動通信端末機（ｍｏｂｉｌｅ  ｃｏｍｍｕｎｉｃａｔｉｏｎ  ｔｅｒｍｉｎａｌｓ）をはじめとして、ＰＭＰ（Ｐｏｒｔａｂｌｅ  Ｍｕｌｔｉｍｅｄｉａ  Ｐｌａｙｅｒ）、ディジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノートブック（Ｎｏｔｅｂｏｏｋ）、及びハンドヘルドＰＣなど、全ての情報通信応用機器又はマルチメディア応用機器に適用できる。
【０１１９】
一方、本明細書と図面を通じて本発明の好ましい実施形態に対して説明する際に使われたえ特定の用語は、単に本発明の技術内容を容易に説明し、発明の理解を助けるための一般的な意味で使われたものであり、本発明の範囲を限定するものではない。ここに開示された実施形態の他にも本発明の技術的思想に基づいた他の変形例が実施可能であるということは、本発明が属する技術分野で通常の知識を有する者に自明であろう。
【符号の説明】
【０１２０】
１０    スクロールバー領域
２０    索引
２０ａ、２０ｂ、２０ｃ    索引、情報索引、サムネイルイメージ索引
２１    統合索引
２２−１、２２−２    イメージ索引
２３−１、２３−２    リンク索引
３０    複合スクロールバー
３１、３２、３３    第１、第２、第３複合スクロールバー
４０    付加スクロール領域
４１、４２，４３    第１、第２、第３付加スクロール領域
５０    以前地点標識
５１、５２    第１、第２以前地点標識
６１、６２、６３    第１、第２、第３サムネイルイメージ
１００    端末機
１１０    通信部
１２０    入力部
１３０    オーディオ処理部
１４０    表示部
１４１    特定サーバページ
１４２    文書ページ
１４３、１４３ｂ    分割領域
１５０    格納部
１５１    複合スクロールサポートプログラム
１５３    ページデータベース
１６０    制御部
１６１    ページ分析部
１６３    索引割当部
１６５    複合スクロールバー運用サポート部
７０１、７０３、７０５    画面
８０１、８０２、８０３、８０４    画面
１００１、１００３、１００５、１００７    画面
１１０１、１１０３、１１０５、１１０７    画面
１４０１、１４０３、１４０５、１４０７    画面
【図１】
2014149834.tif 000006
【図２】
2014149834.tif 000007
【図３】
2014149834.tif 000008
【図４】
2014149834.tif 000009
【図５】
2014149834.tif 000010
【図６】
2014149834.tif 000011
【図７】
2014149834.tif 000012
【図８】
2014149834.tif 000013
【図９】
2014149834.tif 000014
【図１０】
2014149834.tif 000015
【図１１】
2014149834.tif 000016
【図１２】
2014149834.tif 000017
【図１３】
2014149834.tif 000018
【図１４】
2014149834.tif 000019